(57)【要約】【課題】無線異常で通話切断が生じた後の発信・通話時の使い勝手が向上する移動体電話機を提供すること。【解決手段】自動リダイヤルモードに設定されている場合は、同期外れ又は電波断の無線異常による通話切断が発生し、その通話切断をマイコン部が検出すると、メモリに記憶されている通話中だった相手側の電話番号に自動的に発信動作が行われる。また、通話切断前の通話がハンズフリーモードに設定されていると、通話切断時、ハンズフリーモード設定を保存し、自動発信動作による通話再開時、前記保存されていた設定に基づき通話を自動的にハンズフリーモードに設定する。さらに、通話切断前の通話で音質や音量の調整が行われていると、通話切断時、その調整状態を保存し、自動発信動作による通話再開時、前記保存されていた調整状態に基づき元の通話時と同一の通話音調整状態に設定する。【選択図】　　　図１
2004023482.tif 000002
【特許請求の範囲】
【請求項１】
通話中の相手側電話番号を記憶する記憶手段と、
無線異常による通話切断を検出する検出手段と、
この検出手段で無線異常による通話切断が検出されたとき、前記記憶手段に記憶されている通話中だった相手側の電話番号に自動的に発信動作する発信手段とを具備することを特徴とする移動体電話機。
【請求項２】
請求項１に記載の移動体電話機において、
ハンズフリーモードに設定する設定手段と、
前記検出手段により無線異常による通話切断が検出されたときに、前記設定手段によりハンズフリーモードに設定されていれば、そのハンズフリーモード設定を保存する保存手段と、
前記発信手段により発信動作が行われたとき、前記保存手段に保存された設定に基づき自動的にハンズフリーモードに設定する手段と
を更に有することを特徴とする移動体電話機。
【請求項３】
請求項２に記載の移動体電話機において、
通話音を調整する調整手段と、
前記検出手段により無線異常による通話切断が検出されたときに、前記調整手段により通話音調整が行われていれば、その調整状態を保存する保存手段と、
前記発信手段により発信動作が行われたとき、前記保存手段に保存された調整状態に基づき自動的に通話音を調整する調整手段と
を更に有することを特徴とする移動体電話機。
【請求項４】
請求項１ないし３のいずれかに記載の移動体電話機において、
無線異常による通話切断時に前記発信手段を動作させるか否かを設定する手段を更に有することを特徴とする移動体電話機。
【発明の詳細な説明】
【０００１】
【発明の属する技術分野】
本発明は、移動体電話機に関する。
【０００２】
【従来の技術】
移動体電話機における通話切断動作を図３に示す。この図に示すように、移動体電話機においては、ユーザ自ら通話を切断してオフフックの状態になったとき（ステップＳ１）、あるいは、相手側が切断して通信網から切断メッセージが送られてきたとき（ステップＳ２）、あるいは、同期外れ又は電波断の無線異常が発生したとき（ステップＳ３）に、通話が切断（ステップＳ４）される。
【０００３】
図４は、移動体電話機におけるハンズフリーモードの設定と解除および通話音調整の実施と解除を示す図である。最近、移動体電話機においても、拡声スピーカを備えてハンズフリーモードで通話が可能となった。しかし、このハンズフリーモードは通話毎の設定で、設定時の通話中のみ有効な構成となっているから、図４のステップＳ１１で示すようにキー操作でハンズフリーモードを設定した後、図３で示したような通話切断（図４のステップＳ１２）があると、ハンズフリーモードはステップＳ１３で示すように解除される。また、移動体電話機には、通話時の音質や音量を向上させるために通話音調整機能があるが、この通話音調整も通話毎の設定であるから、ステップＳ１１でキー操作により調整した後、ステップＳ１２で通話切断があると、ステップＳ１３で示すように通話音調整は解除される。
【０００４】
【発明が解決しようとする課題】
したがって、以上から分かるように、自動車運転中に移動体電話機を使用してハンズフリーモードで通話を行っているときに、トンネルなどの電波障害物を自動車が通過すると、同期外れ又は電波断の無線異常により通話が不意に切断されてしまい、それに対応するため、相手方に電話をかけ直す場合は、ユーザは、再度相手方の電話番号を設定するとともに、ハンズフリーモードが解除されたため再度ハンズフリーモードを設定して電話をかけ直さなくてはならなかった。また、ハンズフリーモードで通話する際には、通常の通話とは通話の音質や音量についても大きく変更されることが多いが、ユーザが設定した通話音調整も通話切断時に解除されてしまうため、再設定して電話をかけ直さなくてはならなかった。結局、ハンズフリーモードのはずが、手動操作を必要とし、非常に不便であった。
【０００５】
本発明は上記の点に鑑みなされたもので、無線異常で通話切断が生じた後の発信・通話時の使い勝手が向上する移動体電話機を提供することを目的とする。
【０００６】
【課題を解決するための手段】
本発明の移動体電話機は、通話中の相手側電話番号を記憶する記憶手段と、無線異常による通話切断を検出する検出手段と、この検出手段で無線異常による通話切断が検出されたとき、前記記憶手段に記憶されている通話中だった相手側の電話番号に自動的に発信動作する発信手段とを具備することを特徴とする。
【０００７】
このような本発明の移動体電話機は、好ましい形態として、さらに、ハンズフリーモードに設定する設定手段と、前記検出手段により無線異常による通話切断が検出されたときに、前記設定手段によりハンズフリーモードに設定されていれば、そのハンズフリーモード設定を保存する保存手段と、前記発信手段により発信動作が行われたとき、前記保存手段に保存された設定に基づき自動的にハンズフリーモードに設定する手段とを有する。さらに、通話音を調整する調整手段と、前記検出手段により無線異常による通話切断が検出されたときに、前記調整手段により通話音調整が行われていれば、その調整状態を保存する保存手段と、前記発信手段により発信動作が行われたとき、前記保存手段に保存された調整状態に基づき自動的に通話音を調整する調整手段とを有する。さらに、無線異常による通話切断時に前記発信手段を動作させるか否かを設定する手段を有する。
【０００８】
【発明の実施の形態】
次に添付図面を参照して本発明による移動体電話機の実施の形態を詳細に説明する。図２は本発明による移動体電話機の実施の形態を示すブロック図である。この移動体電話機は、ＲＦ回路１１と、マイコン及びベースバンド部１２と、コーデック１３と、操作キー１４とを有する。ＲＦ回路１１は、アンテナ１５に接続され、基地局と無線通信を実施する。マイコン及びベースバンド部１２は、前記ＲＦ回路１１を含む各部と接続され、変復調を含む各種のデジタル信号処理と、この移動体電話機全体の制御を司る。コーデック１３は、前記マイコン及びベースバンド部１２と接続されるとともに、マイク１６、受話スピーカ１７、およびハンズフリー通話時使用される拡声スピーカ１８に接続され、マイク１６からの音声信号をＡ／Ｄ変換してマイコン及びベースバンド部１２に供給する一方、マイコンおよびベースバンド部１２からのデジタル信号をＤ／Ａ変換して受話スピーカ１７または拡声スピーカ１８に供給する。操作キー１４は多数のキーを有し、各種の情報をマイコン及びベースバンド部１２に入力する。
【０００９】
マイコン及びベースバンド部１２には、バスライン１９を介して音源ＩＣ２０、ＬＣＤ２１、カメラ２２、フラッシュメモリ２３、およびＳＲＡＭ２４が接続される。音源ＩＣ２０は、着信音を鳴動させたり、メロディを再生するためなどの音源データを発生させる。ＬＣＤ（表示部）２１は、操作キー１４により入力された相手側の電話番号や、操作キー１４による各種の操作状態、およびこの移動体電話機の動作状態等を表示する。カメラ２２は、映像情報をマイコン及びベースバンド部１２に取り込む。フラッシュメモリ２３およびＳＲＡＭ２４は、この移動体電話機を動作させるためのプログラムや各種のデータ・情報を記憶する。
【００１０】
このように構成された移動体電話機においては、通話時、相手側の電話番号がＳＲＡＭ２４に記憶される。記憶される相手側の電話番号は、この移動体電話機から発信が行われた場合は、ユーザが操作キー１４の操作でこの移動体電話機に設定した相手側の電話番号であり、相手からの着信時は、発信者番号通知で取得した相手側の電話番号である。これらを発信履歴、着信履歴としてそれぞれ複数件ずつＳＲＡＭ２４に記憶する。なお、後述する通話切断前の通話とは、切断時点で行われていた通話のことであり、その通話相手の特定は、発信と着信の履歴を参照し、それらの中から最も新しいものを検索することにより行うことができる。
【００１１】
また、この移動体電話機では、通話中に操作キー１４を操作して、その通話をハンズフリーモードに設定することができる。さらに、通話中に操作キー１４を操作して、その通話の通話音質や音量を調整できる。さらに、操作キー１４を操作して、自動リダイヤルモードに設定することができる。
【００１２】
そして、自動リダイヤルモードに設定されている場合は、同期外れ又は電波断の無線異常による通話切断が発生し、その通話切断をマイコン及びベースバンド部１２が検出すると、ＳＲＡＭ２４に記憶されている通話中だった相手側の電話番号（前述のように発信、着信履歴から抽出する）に自動的に発信動作が行われる。また、通話切断前の通話がハンズフリーモードに設定されていると、通話切断時、ハンズフリーモード設定を保存し、自動発信動作による通話再開時、前記保存されていた設定に基づき通話を自動的にハンズフリーモードに設定する。さらに、通話切断前の通話で通話音調整が行われていると、通話切断時、その音質や音量の調整状態を保存し、自動発信動作による通話再開時、前記保存されていた調整状態に基づき元の通話時と同一の通話音調整状態に設定する。
【００１３】
このような動作の詳細が図１のフローチャートに示される。すなわち、通話中、ステップＳ２１で、キー操作により、ハンズフリーモードの設定と、通話音調整、および自動リダイヤルモードの設定を行うことができる。この例では、ここで、ハンズフリーモードと自動リダイヤルモードとを共に設定し（ＯＮさせ）、かつ通話音調整を行う。したがって、以後、通話はハンズフリーモードで行われ、かつ通話音は非常に聞き易い良好な音質や音量に調整されている。
【００１４】
その後、ユーザ自らが通話を切断してオフフックの状態になると（ステップＳ２２、または相手側が切断して通信網から切断メッセージを受取ると（ステップＳ２３）、ステップＳ２４に進んで通話切断になるが、これらの切断はユーザおよび相手側の意志に基づくものであるから、ハンズフリーモード設定および通話音調整を解除（ステップＳ２５）して、待受け状態となる。
【００１５】
一方、同期外れ又は電波断の無線異常が発生すると（ステップＳ２６）、この場合も通話切断（ステップＳ２７）となるが、この通話切断はユーザおよび相手側の意志によるものではないので、ステップＳ２８に進んで、自動リダイヤルモードが設定されているか判断する。そして、もし自動リダイヤルモードが設定されていなければ、ハンズフリーモード設定および通話音調整を解除（ステップＳ２９）して待受け状態となるが、この例では自動リダイヤルモードが設定されているので、ステップＳ３０に進んで、相手側電話番号がＳＲＡＭ２４に記憶されている発信履歴もしくは着信履歴に存在するか判断する。そして、もし相手側電話番号が記憶されていなければ、ハンズフリーモード設定、通話音調整、およびリダイヤルモード設定を解除（ステップＳ３１）して待受け状態となるが、この例では相手側電話番号が記憶されているので、ステップＳ３２に進んで、通話切断前通話のハンズフリーモード設定と通話音調整状態をＳＲＡＭ２４に保存する。さらに、ステップＳ３３に進んで、ＳＲＡＭ２４に記憶されている通話切断前通話の相手側電話番号に対して自動的に発信動作する。そして、この自動発信動作により相手側と通話が再開されると、ＳＲＡＭ２４に保存されていた設定に基づきその通話を自動的にハンズフリーモードに設定するとともに、ＳＲＡＭ２４に保存されていた調整状態に基づきその通話の通話音調整状態を元の通話と同一の通話音調整状態に自動的に設定する（ステップＳ３４）。
【００１６】
このように、上記の移動体電話機によれば、同期外れ又は電波断の無線異常による通話切断時は、相手側の電話番号に自動的に発信動作が行われる。また、通話切断前ハンズフリーモードに設定されていれば、自動発信動作による通話再開時、自動的にハンズフリーモードに設定され、さらに、通話切断前、通話音調整が行われていると、自動発信動作による通話再開時、切断前の通話時と同一の通話音調整状態に自動的に設定される。したがって、無線異常で通話切断が生じた後の発信・通話時の使い勝手が向上する。
【００１７】
なお、上記の実施の形態では、無線異常による通話切断後に自動発信等を可能にする自動リダイヤルモード設定をステップＳ２１で通話中に行うようにしたが、待受け状態で行うこともできる。
【００１８】
【発明の効果】
以上詳細に説明したように本発明の移動体電話機によれば、無線異常で通話切断が生じた後の発信・通話時の使い勝手が向上する。
【図面の簡単な説明】
【図１】本発明による移動体電話機の実施の形態における動作を示すフローチャート。
【図２】本発明による移動体電話機の実施の形態を示すブロック図。
【図３】移動体電話機における通話切断動作を示すフローチャート。
【図４】従来の移動体電話機におけるハンズフリーモードの設定と解除および通話音調整の実施と解除を示すフローチャート。
【符号の説明】
１１　ＲＦ回路
１２　マイコン及びベースバンド部
１３　コーデック
１４　操作キー
１５　アンテナ
１６　マイク
１７　受話スピーカ
１８　拡声スピーカ
２１　ＬＣＤ
２４　ＳＲＡＭ
【図１】
2004023482.tif 000003
【図２】
2004023482.tif 000004
【図３】
2004023482.tif 000005
【図４】
2004023482.tif 000006